(57)【要約】【課題】押鍵動作に伴う鍵の荷重を容易に調整することができ、演奏者の技量や好みに応じて、演奏者が容易に鍵に伝わる荷重を調整したり押鍵のタッチ感を切り換えたりすることができ、且つ、押鍵のタッチ感を精度良く再現できるアクションを提供することを目的とする。【解決手段】一端側が回転自在に回転軸６に係合し、他端側がハンマーシャンク２ａの上下方向に揺動自在に支持され、他端側が回転軸６を支点とする自重でハンマーシャンク２ａの上面に当接し、ハンマーシャンク２ａの回動動作に抗する荷重をかけるように構成されたウェイトレバー４を備え、ウェイトレバー移動機構部５を外部から操作して回動支柱９を回動させることによって、複数のウェイトレバー４を同時に移動させ、複数の鍵１１に対して押鍵動作におけるタッチ感を同時に調整したり切り換えたりする。【選択図】  図１
2005003721.tif 000002
【特許請求の範囲】
【請求項１】
複数の鍵毎に、軸の先端にハンマーヘッドを備え軸の後端が回動中心となるように支持されて上下方向に回動するハンマーシャンクと、該ハンマーシャンクの下方に配置され、前記鍵に連結されて該鍵の揺動に伴い前記ハンマーシャンクを上向きに回動するハンマー作動部とを備え、前記ハンマーヘッドによって弦を打弦するピアノのアクションであって、
該ハンマーシャンク毎に該ハーマシャンクの上方に配置され、ピアノ本体に支持された回転軸に一端側を回転自在に係合するとともに該回転軸を支点とする自重で他端側を該ハンマーシャンクの上面に当接し、該他端側が該ハンマーシャンクの回動動作に伴って該回転軸を支点に揺動するウェイトレバーと、
前記ウェイトレバーの前記他端側と前記ハンマーシャンクの上面との当接位置を移動させるウェイトレバー移動手段を備える、
ことを特徴とするアクション。
【請求項２】
前記ウェイトレバー移動手段は、
一端側が前記回転軸に係合するとともに他端側が回動自在に第２の回転軸に係合し、上下方向に立設された回動支柱を備え、
前記回動支柱が前記第２の回転軸を中心に回動することによって、前記回転軸を介して、該回転軸に係合した前記ウェイトレバーを前記ハンマーシャンクに沿って移動させ、該ウェイトレバーの前記他端側と前記ハンマーシャンクの前記上面との当接位置を移動させる、
ことを特徴とする請求項１に記載のアクション。
【請求項３】
前記ウェイトレバー移動手段は、
前記回転軸が、前記ハンマーシャンク毎に配置された前記ウェイトレバーの夫々に対して係合する共通の軸であって、
前記回動支柱が回動することによって、前記ハンマーシャンク毎に配置された前記ウェイトレバーの夫々を同時に移動させる、
ことを特徴とする請求項１又は請求項２に記載のアクション。
【請求項４】
前記ウェイトレバーの上方に間隙を介して、該ウェイトレバーが上向きに揺動した際に該ウェイトレバーの上面が当接し、該ウェイトレバーの上向きの揺動を停止させるストッパーを備えている、
ことを特徴とする請求項１乃至請求項３の何れか記載のアクション。
【請求項５】
前記ウェイトレバーと前記ハンマーシャンク及び前記ストッパーとの間にフェルトを備え、該フェルトを介して該ウェイトレバーと該ハンマーシャンク及び該ストッパーが当接する、
ことを特徴とする請求項１乃至請求項４の何れか記載のアクション。
【発明の詳細な説明】
【０００１】
【発明の属する技術分野】
本発明は、上向きに回動し弦を打弦するハンマーと、鍵に連結され鍵の揺動に伴いハンマーを上向きに回動するハンマー作動部とを備えたグランドピアノのアクションに関する。
【０００２】
【従来の技術】
従来、ピアノにおいては、演奏者の鍵動作に伴って、その演奏者の指に伝わるタッチ感が、ピアノの良否を決定する一つのパラメータであることが知られている。そして、一般に、ピアノが組み立てられる際に、鍵毎に鍵の内部に錘が装着され、低音側から高音側に向かって鍵の荷重が軽くなるように調整されている。
【０００３】
また、演奏者の押鍵動作に伴って、鍵に連結されて回動するハンマーの荷重が、鍵を介して演奏者の指に伝わるので、この際の荷重を調整する荷重調整具を備えたものがある。
例えば、ハンマーシャンクの上方に、引っ張りバネとこの引っ張りバネを吊り下げる取り付け具とから成る荷重調整具を備え、吊り下げられた引っ張りバネの先端をハンマーシャンクの上面に固定し、引っ張りバネのバネ圧によってハンマーシャンクを上方に伏勢し、ハンマーシャンクの回動方向に補助トルクを作用させたものがある。そして、取り付け具を介して引っ張りバネの吊り下げ位置を上下に移動し、引っ張りバネによってハンマーに伏勢されるバネ圧を調整し、押鍵動作における鍵の荷重を鍵の荷重を調整できるようにしたものがある。また、ハンマーシャンクの上方に、取り付け棒とこの取り付け棒の一端側に互いに回転して螺合する錘とから成る荷重調整具を備え、この荷取り付け棒の他端側をハンマーハンマーシャンクの上面に固定するとともに一端側をハンマーシャンクの外方に延出し、ハンマーシャンクの回動方向に補助トルクを作用させたものがある。そして、調整棒と錘とを互いに回転させて錘の位置を移動し、押鍵動作における鍵の荷重を調整できるようにしたものがある。（例えば、特許文献１参照）
【０００４】
【特許文献１】
特開２００２−４１０２８号公報（第４−５頁、第１−２図）
【０００５】
【発明が解決しようとする課題】
しかしながら、従来例のように、鍵の内部に錘を装着して、押鍵動作における鍵の荷重を調整する構成によれば、新たに荷重を調整する際に、鉛又は鉛と鍵の両方を交換する必要があるので、演奏者自らが鍵に伝わる荷重を調整したり、押鍵のタッチ感を切り換えたりすることが困難であった。
【０００６】
また、特許文献１のように、引っ張りバネのバネ圧によってハンマーシャンクを上方に伏勢し、取り付け具を介して引っ張りバネの吊り下げ位置を上下に移動し、押鍵動作における鍵の荷重を調整する構成によれば、押鍵動作における鍵の変位量にともなってバネ圧が変化し、ハンマーの荷重によるタッチ感を損なう虞があるという問題があった。また、演奏者の押鍵動作に伴って、スプリングを繰り返して伸縮すると、バネ圧が老朽化してタッチ感が損なわれるという問題があった。
【０００７】
また、特許文献１のように、一端に錘を螺合した取り付け棒の他端側をハンマーハンマーシャンクの上面に固定して、押鍵動作における鍵の荷重を調整する構成によれば、新たに荷重を調整する際に、調整棒と錘とを互いに回転させるための作業を多数の鍵に対して同時に行うことができず、調整作業が面倒であった。
【０００８】
本発明は、こうした問題に鑑みなされたものであり、ピアノの押鍵動作に伴う鍵の荷重を調整することができ、演奏者の技量や好みに応じて、演奏者が容易に鍵に伝わる荷重を調整したり押鍵のタッチ感を切り換えたりすることができるアクションを提供することを目的とする。
【０００９】
【課題を解決するための手段及び発明の効果】
かかる目的を達成するためになされた請求項１記載の発明は、複数の鍵毎に、軸の先端にハンマーヘッドを備え軸の後端が回動中心となるように支持されて上下方向に回動するハンマーシャンクと、該ハンマーシャンクの下方に配置され、前記鍵に連結されて該鍵の揺動に伴い前記ハンマーを上向きに回動するハンマー作動部とを備え、前記ハンマーヘッドによって弦を打弦するピアノのアクションであって、該ハンマーシャンク毎に該ハーマシャンクの上方に配置され、ピアノ本体に支持された回転軸に一端側を回転自在に係合するとともに該回転軸を支点とする自重で他端側を該ハンマーシャンクの上面に当接し、該他端側が該ハンマーシャンクの回動動作に伴って該回転軸を支点に揺動するウェイトレバーと、前記ウェイトレバーの前記他端側と前記ハンマーシャンクの上面との当接位置を移動させるウェイトレバー移動手段を備えることを特徴とする。
【００１０】
請求項１に記載のアクションによれば、ハンマーシャンク毎に、ハーマシャンクの上方に配置され、ピアノ本体に支持された回転軸に一端側を回転自在に係合するとともに回転軸を支点とする自重で他端側を該ハンマーシャンクの上面に当接し、他端側がハンマーシャンクの回動動作に伴って回転軸を支点に揺動するウェイトレバーと、ウェイトレバーの他端側とハンマーシャンクの上面との当接位置を移動させるウェイトレバー移動手段を備えているので、ピアノの押鍵動作に伴う鍵の荷重を調整することができ、演奏者の技量や好みに応じて、演奏者が容易に鍵に伝わる荷重を調整したり押鍵のタッチ感を切り換えたりすることができる。
【００１１】
つまり、ウェイトレバーの他端側とハンマーシャンクの上面との当接位置を移動させると、ハンマーシャンクがウェイトレバーから受ける荷重の作用点とハンマーシャンクの回動中心との距離が変化するので、ハンマーシャンクの回動動作に抗する荷重を調整することができ、延いては演奏者の押鍵動作におけるタッチ感を調整できる。
【００１２】
また、請求項１に記載のアクションによれば、ウェイトレバーは、ピアノ本体に支持された回転軸に一端側を回転自在に係合するとともに回転軸を支点とする自重で他端側をハンマーシャンクの上面に当接し、他端側がハンマーシャンクの回動動作に伴って回転軸を支点に揺動するので、グランドピアノのハンマーの運動と近似し、グランドピアノの押鍵動作のタッチ感を損なうこと無く鍵の荷重を調整することができる。
【００１３】
また、請求項１に記載のアクションによれば、ハンマーシャンクに加えられる荷重がウェイトレバーの自重であるので、演奏者が押鍵動作を長期間にわたって繰り返しても、ハンマーシャンクに加えられる荷重が変化することなく、安定したタッチ感を得ることができる。
【００１４】
また、請求項１に記載のアクションは、請求項２に記載の発明のように、前記ウェイトレバー移動手段は、一端側が前記回転軸に係合するとともに他端側が回動自在に第２の回転軸に係合し、上下方向に立設された回動支柱を備え、前記回動支柱が前記第２の回転軸を中心に回動することによって、前記回転軸を介して、該回転軸に係合した前記ウェイトレバーを前記ハンマーシャンクに沿って移動させ、該ウェイトレバーの前記他端側と前記ハンマーシャンクの前記上面との当接位置を移動させることができる。
【００１５】
また、請求項１又は請求項２に記載のアクションは、請求項３に記載の発明のように、前記ウェイトレバー移動手段は、前記回転軸が、前記ハンマーシャンク毎に配置された前記ウェイトレバーの夫々に対して係合する共通の軸であって、前記回動支柱が回動することによって、前記ハンマーシャンク毎に配置された前記ウェイトレバーの夫々を同時に移動させることによって、複数の鍵に対し、押鍵動作におけるタッチ感を同時に調整したり切り換えたりすることができる。
【００１６】
次に、請求項４に記載の発明は、請求項１乃至請求項３の何れか記載のアクションにおいて、前記ウェイトレバーの上方に間隙を介して、該ウェイトレバーが上向きに揺動した際に該ウェイトレバーの上面が当接し、該ウェイトレバーの上向きの揺動を停止させるストッパーを備えていることを特徴とする。
【００１７】
請求項４に記載のアクションによれば、ウェイトレバーの上方に間隙を介して、ウェイトレバーが上向きに揺動した際に当接し、上向き方向の揺動を停止させるストッパーを備えているので、ハンマーシャンクの上下の回動動作に合わせウェイトレバーを上下に揺動させることができ、演奏者が押鍵動作を繰り返しても、安定したタッチ感を得ることができる。
【００１８】
また、請求項１乃至請求項４の何れか記載のアクションは、請求項５に記載の発明のように、前記ウェイトレバーと前記ハンマーシャンク及び前記ストッパーとの間にフェルトを備え、該フェルトを介して該ウェイトレバーと該ハンマーシャンク及び該ストッパーが当接することによって、ウェイトレバーとハンマーシャンク及びストッパーとが当接する際の衝撃を和らげ、接触音の発生を抑制することができる。
【００１９】
【発明の実施の形態】
以下、本発明の実施形態を図面と共に説明する。図１は、本発明が適用されたグランドピアノにおけるアクションの構成を表す側面図、図２は同実施形態のウェイトレバー及びウェイトレバー移動機構部の構成を表す斜視図である。
【００２０】
図１において、アクション１は、複数の鍵１１毎に配設され、上向きに回動し弦２５を打弦するハンマー２、ハンマー２を回動するハンマー作動部３、ハンマー２のハンマーシャンク２ａの上面に当接し荷重を加えるウェイトレバー４、ウェイトレバー４とハンマーシャンク２ａとの当接位置の移動を行うウェイトレバー移動機構部５等を備える。尚、ウェイトレバー移動機構部５は本発明のウェイトレバー移動手段に相当する。
【００２１】
鍵１１は、ピアノ１台あたり８８鍵設置され、筬中３０を支点に揺動できるように設置されている。この鍵１１は図中記載の前側（所謂、演奏側である）を押鍵すると鍵１１の図中記載の後側（所謂、筬中３０を境に演奏側と反対側である）が上昇して、その押鍵動作をハンマー作動部３に伝達する。
【００２２】
次に、ハンマー作動部３は、鍵１１が押されると上昇するキャプスタンスクリュー１２と、ウイッペンレンジ１３を介してウイッペンレール１４に回動可能に支持され、キャプスタンスクリュー１２の上昇によって上向きに回転するウイッペン１５と、ウイッペン１５上昇によってウイッペン１５上方の支柱１５ａの先端に回転軸１５ｃを介して回転可能に支持されたレピティションレバー１６と、ウイッペン１５の先端に回転可能に連結され、軸１８ａの上端部（以下、「ハンマー突き上げ部と称す」）がレピティションレバー１６のジャック案内孔（図示せず）の内部に位置し、レギュレーティング当接部１８ｂがレギュレーティングボタン１７に当接するまでウイッペン１５と共に上昇するジャック１８と、レピティションレバー１６の上面に当接し、ジャック１８のハンマー突き上げ部に突き上げられるとレピティションレバー１６の上面から離間するシャンクローラ１９とを備え、ハンマー２を回動して弦２５を打弦する。
【００２３】
ハンマー２は、シャンクフレンジ２０を介して軸の後端がシャンクレール２１に支軸２ｃ（所謂、ハンマー２の回動中心である）を介して回動可能に支持され、シャンクローラ１９が突き上げられると上向きに回動するハンマーシャンク２ａと、ハンマーシャンク２ａの軸の先端に装着されたハンマーヘッド２ｂとを備え、８８鍵毎に配置されている。
【００２４】
次に、図２に示すように、ウェイトレバー４は、一端側４ａにカ−リングして回転軸６に係合する係合孔が形成され、他端側４ｂにその頂部がハンマーシャンク２ａと当接する円弧部が形成されている。そして、ウェイトレバー４は、鍵１１及びハンマーシャンク２ａ毎に対応して備えられ、共通の回転軸６に複数係合している。回転軸６には所定のピッチ毎に大径部６ａと小径部６ｂとが形成されている。そして、ウェイトレバー４は、ウェイトレバー４の一端側４ａの係合孔に回転軸６の小径部６ｂが挿通され、回転軸６の小径部６ｂに回転自在に係合するとともに、両側が大径部６ａに挟まれて回転軸６の軸方向にずれないように係合されている。また、回転軸６は、回動支柱９を介して、ピアノ本体の棚板２９に支持されている。
【００２５】
そして、図１に示すように、ウェイトレバー４は、ハンマーシャンク２ａが回動する支軸２ｃを境に演奏側とは反対側上部において、一端側４ａが回動自在に回転軸６に係合し、他端側４ｂがハンマーシャンク２ａの上下方向に揺動自在に支持され、ハンマーシャンク２ａの回動動作に抗する荷重をかけるように構成されている。
【００２６】
また、ウェイトレバー４とハンマーシャンク２ａとの接触音を低減するために、ハンマーシャンク２ａの上面にフェルト２７が設置され、フェルト２７を介して、ウェイトレバー４の他端側４ｂが回転軸６を支点とする自重でハンマーシャンク２ａの上面に当接している。
【００２７】
また、ウェイトレバー４は、図１中の実線のように鍵１１の押鍵動作の前には、フェルト２７を介してハンマーシャンク２ａの上面に当接し、図１中の二点鎖線に示すように押鍵動作に伴ってハンマーシャンク２ａが揺動し弦２５を打弦するとともに、ウェイトレバー４の上方に間隙を介して配設されたストッパー７にフェルト２８を介して当接し、上向きの回動を停止してハンマー２と同様に自らの自重によって下向きに回動する。
【００２８】
次に、ウェイトレバー移動機構部５は、図２に示すように、一端側９ａが回転軸６に係合されると共に、他端側９ｂが回動自在に第２の回転軸１０に係合された回動支柱９と、回動支柱９の上端に付設された板状のストッパー７と、第２の回転軸１０が挿通されて支持され、孔２３ａを介して図１における棚板２９にボルト２４によって取り付けられる取り付け具２３とを備えている。また、回動支柱９の下端には、回動支柱９を後側に付勢するコイルスプリング２６ｄと、このコイルスプリング２６ｄによる付勢力に抗して回動支柱９を前側に索引するためのワイヤ２６ａが接続されている。そして、ワイヤ２６ａは、一端が固定部材２６ｂを介してグランドピアノの側板に固定されたチューブ２６ｃに収納されており、チューブ２６ｃの他端に設けられた図示しない操作レバーによって所定量索引したり戻したりでき、それぞれの状態で固定できるようになっている。また、ストッパー７の下面には、ウェイトレバー４の接触音を抑制するためのフェルト２８が設置されている。
【００２９】
そして、図１に示すように、ウェイトレバー移動機構部５は、図示しない操作レバーを外部から操作して、第２の回転軸１０を中心に回動支柱９を反時計回り（図中のＡ方向）に回動させると、回転軸６とともにウェイトレバー４が後側に移動し、図示しない操作レバーを外部から操作して第２の回転軸１０を中心に回動支柱９を時計回り（図中のＢ方向）に回動させると、回転軸６とともにウェイトレバー４が前側に移動する。これにより、ハンマーシャンク２ａとフェルト２７を介して当接するウェイトレバー４の他端側４ｂとの当接位置の移動を行ってハンマーシャンク２ａの回動動作に抗する荷重の調整及び切り換えを行うことができ、延いては、演奏者の押鍵動作の際にハンマー作動部３を介して鍵１１に伝わる荷重の調整及び切り換えを行うことができるように構成されている。
【００３０】
また、図示しない操作レバーを外部から操作して第２の回転軸１０を中心に回動支柱９を回動させると、８８鍵に対応するように備えられた複数のウェイトレバー４が同時に移動し、８８鍵１１の全てに対して荷重を切り換えるように構成されている。
【００３１】
以下に、前述の構成を有するアクション１を用いて、押鍵動作に伴って鍵１１に伝わる荷重を切り換える際の操作を説明する。
鍵１１に伝わる荷重が増すように切り換える際には、例えば演奏者が図示しない外部の操作レバーを操作し、ウェイトレバー移動機構部５における回動支柱９を図中のＡ方向に回動させ、ウェイトレバー４がフェルト２７を介してハンマーシャンク２ａに当接する位置をハンマーシャンク２ａの支軸２ｃから遠くなるように移動させつつ、押鍵動作によって鍵１１にかかる荷重を確認し、所定の荷重が得られた際に、その状態で操作レバーを操作し回動支柱９を固定する。また、鍵１１に伝わる荷重が低減するように切り換える際には、例えば演奏者が図示しない外部の操作レバーを操作し、ウェイトレバー移動機構部５における回動支柱９を図中のＢ方向に回動させ、ウェイトレバー４がフェルト２７を介してハンマーシャンク２ａに当接する位置をハンマーシャンク２ａの支軸２ｃに近づくように移動させつつ、押鍵動作によって鍵１１にかかる荷重を確認し、所定の荷重が得られた際に、その状態で操作レバーを操作し回動支柱９を固定する。
【００３２】
以下に、前記の構成を有する実施形態のアクション１の作用効果を記載する。
実施形態１のアクション１によれば、他端側４ｂが回転軸６を支点とする自重でハンマーシャンク２ａの上面に当接し、ハンマーシャンク２ａの回動動作に抗する荷重をかけるように構成されたウェイトレバー４と、ウェイトレバー４のウェイトレバー移動機構部５を備えているので、グランドピアノの押鍵動作に伴う鍵の荷重を調整することができ、演奏者の技量や好みに応じて、容易に鍵に伝わる荷重を調整したり押鍵のタッチ感を切り換えたりすることができる。
【００３３】
また、実施形態１のアクション１によれば、ウェイトレバー４は、一端側４ａが回転自在に回転軸６に係合して他端側４ｂが自重でハンマーシャンク２ａの上面に当接し、演奏者が鍵１１を押した直後は鍵１１の動きに連動して上下に揺動し、演奏者が鍵１１を押しきって鍵１１の運動が停止するとその後は単独に自重によって慣性運動するので、グランドピアノのハンマー２の運動と近似し、グランドピアノの押鍵動作のタッチ感を損なうこと無く鍵１１の荷重を調整することができる。
【００３４】
また、実施形態１のアクション１によれば、ハンマーシャンク２ａに加えられる荷重がウェイトレバー４の自重であるので、演奏者が押鍵動作を長期間にわたって繰り返しても、ハンマーシャンク２ａに加えられる荷重が変化することなく、押鍵動作に伴って安定したタッチ感を得ることができる。
【００３５】
また、ウェイトレバー４の上方に間隙を介して、ウェイトレバー４が上向きに揺動した際に当接し、上向き方向の揺動を停止させるストッパー７を備えているので、ハンマー２の上下の回動動作に合わせウェイトレバー４を上下に揺動させることができ、演奏者が押鍵動作を繰り返しても、安定したタッチ感を得ることができる。
【００３６】
また、ウェイトレバー４とハンマーシャンク２ａ及びストッパー７との間にフェルト２７、２８を備え、フェルト２７、２８を介してウェイトレバー４とハンマーシャンク２ａ及びストッパー７とを当接させることによって、ウェイトレバー４とハンマーシャンク２ａ及びストッパー７とが当接する際の衝撃を和らげ、接触音の発生を抑制することができる。
【００３７】
また、実施の形態のアクション１によれば、外部から操作してウェイトレバー移動機構部５における回動支柱９を回動させることによって、複数のウェイトレバー４を同時に移動させ、複数の鍵１１に対して押鍵動作におけるタッチ感を同時に調整したり切り換えたりすることができる。これにより、アクション１を備えたピアノは、演奏者が、練習用のタッチ感を自らの熟練度に合わせてその都度切り換えたり、練習用のタッチ感を演奏会用のタッチ感に合わせたりすることができ、付加価値の優れたものとなる。
【００３８】
以上、本発明の実施形態について説明したが、本発明は、上述した実施形態に限定されるものではなく、種々の態様を取ることができる。
例えば、実施形態において、ウェイトレバー４は、一端側４ａをハンマーシャンク２ａの支軸２ｃ側に配置し他端側４ｂをハンマーヘッド２ｂ側に配置したが、一端側４ａをハンマーヘッド２ｂ側に配置し他端側４ｂを支軸２ｃ側に配置してもよい。
【００３９】
また、ウェイトレバー４は、他端側４ｂにさらに錘を着脱するための係合部を形成し、ウェイトレバー４の自重を切り換えることができるようにしてもよい。
また、ウェイトレバー移動機構部５は、回動支柱９を回転軸１０の両側に備えたが、外部の操作レバーに接続された片側のみを備えてもよい。
【００４０】
また、ウェイトレバー４は、一端側４ａにカ−リングして回転軸６に係合する係合孔を形成したが、この係合孔をウェイトレバー４の一端側４ａから他端側４ｂに沿って複数備え、回転軸６に係合する係合孔を選択できるようにしてもよい。
【図面の簡単な説明】
【図１】本発明が適用された実施形態の、グランドピアノのアクションの構成を表す側面図である。
【図２】同実施形態のウェイトレバー及びウェイトレバー移動機構部の構成を表す斜視図である。
【符号の説明】
１…アクション、２…ハンマー、２ａ…ハンマーシャンク、２ｂ…ハンマーヘッド、２ｃ…支軸、２ｄ…一端側、３…ハンマー作動部、４…ウェイトレバー、４ａ，９ａ…一端側、４ｂ，９ｂ…他端側、５…ウェイトレバー移動機構部、６…回転軸、６ａ…大径部、６ｂ…小径部、７…ストッパー、９…回動支柱、１０…第２の回転軸、１１…鍵、１２…キャプスタンスクリリュー、１３…ウイッペンレンジ、１４…ウイッペンレール、１５…ウイッペン、１５ａ…支柱、１５ｃ…回転軸、１６…レピティションレバー、１７…レギュレーティングボタン、１８…ジャック、１８ａ…軸、１８ｂ…レギュレーティング当接部、１９…シャンクローラ、２０…シャンクフレンジ、２１…シャンクレール、２３…取り付け具、２４…ボルト、２５…弦、２６ａ…ワイヤ、２６ｂ…固定部材、２６ｃ…チューブ、２６ｄ…コイルスプリング、２７，２８…フェルト、２９…棚板、３０…筬中。
【図１】
2005003721.tif 000003
【図２】
2005003721.tif 000004